(57)【要約】  【課題】  本発明は、雨水から混合物を排除するフィルター装置として、容易に混合物が詰まることがないようにすることを課題とする。  【解決手段】  雨水から混合物を排除するための雨水用フィルター装置として、有底の箱状体である筐体と、筐体の内部を仕切る板体であって、前記筐体の内部底面から所定の高さをもって穴もしくは切り欠きを有する仕切り板と、前記筐体の前記仕切り板により分断される一方側の側面に設けられる雨水を流入させる流入口と、前記筐体の前記仕切り板により分断される他方側の側面に設けられる雨水を流出させる流出口とを設ける。【選択図】  図２
2006200133.tif 000002
【特許請求の範囲】
【請求項１】
雨水から混合物を排除するためのフィルター装置であって、
有底の箱状体である筐体と、
筐体の内部を仕切る板体であって、前記筐体の内部底面から所定以上の高さを持って穴もしくは切り欠きを有する仕切り板と、
前記筐体の前記仕切り板により分断される一方側の側面に設けられる雨水を流入させる流入口と、
前記筐体の前記仕切り板により分断される他方側の側面に設けられる雨水を流出させる流出口と
を有する雨水用フィルター装置。
【請求項２】
前記仕切り板は複数枚が並んで配列される請求項１に記載の雨水用フィルター装置。
【請求項３】
前記仕切り板は前記筐体に対して着脱可能に形成される請求項１又は２に記載の雨水用フィルター装置。
【請求項４】
前記雨水用フィルター装置において、底面に水抜きのためのドレン口を有する請求項１から３のいずれか１項に記載の雨水用フィルター装置。
【請求項５】
前記仕切り板は前記筐体の内部底面に対して所定幅の隙間が形成される請求項４に記載の雨水用フィルター装置。
【請求項６】
前記ドレン口は電磁弁により開閉可能に形成される請求項４又は５に記載の雨水用フィルター装置。
【請求項７】
前記筐体の内部には、水位が一定高さに到達したことを検知し電気信号を発生させる水位センサーが設けられ、
前記電磁弁は、前記水位センサーの信号を受けて前記ドレン口を開放する請求項６に記載の雨水用フィルター装置。
【発明の詳細な説明】
【技術分野】
【０００１】
本発明は雨水を利用するために、雨水から混合物を排除するためのフィルター装置に関する。
【背景技術】
【０００２】
雨水を生活用水などに利用するためには、雨水を収集する際に混ざる砂や埃などを除去することが望ましい。このために、従来では、雨水を細かな隙間を有するフィルターを通して濾すことにより不純物を取り除く方法が取られていた。
【発明の開示】
【発明が解決しようとする課題】
【０００３】
しかし、上記のような方法により雨水から混合物を取り除く場合、フィルターが直ぐに詰まってしまい、掃除などのメンテナンスの手間がかかる結果となっていた。
そこで、本発明は、雨水から混合物を排除するフィルター装置として、容易に混合物が詰まることがないようにすることを課題とする。
【課題を解決するための手段】
【０００４】
上記課題を解決するために、本発明は次のような構成を有する。
請求項１に記載の発明は、雨水から混合物を排除するための雨水用フィルター装置として、有底の箱状体である筐体と、筐体の内部を仕切る板体であって、前記筐体の内部底面から所定の高さをもって穴もしくは切り欠きを有する仕切り板と、前記筐体の前記仕切り板により分断される一方側の側面に設けられる雨水を流入させる流入口と、前記筐体の前記仕切り板により分断される他方側の側面に設けられる雨水を流出させる流出口とを有するものである。なお、所定の高さは、雨水の量と仕切り板と筐体の側面および底面に囲まれる部分の体積、雨水が含む混合物の割合などにより適宜定められる。
請求項２に記載の発明は、前記雨水用フィルター装置において、前記仕切り板は複数枚が並んで配列されるものである。なお、この場合、仕切り板により分断される筐体の側面は、配列された複数の仕切り板を厚い仕切り板と想定して、この想定した仕切り板により分断される筐体の側面を意味するものとする。
請求項３に記載の発明は、前記雨水用フィルター装置において、前記仕切り板は前記筐体に対して着脱可能に形成されるものである。
【０００５】
請求項４に記載の発明は、前記雨水用フィルター装置において、底面に水抜きのためのドレン口を有するものである。
請求項５に記載の発明は、請求項４に記載の雨水用フィルター装置において、前記仕切り板は前記筐体の内部底面に対して所定幅の隙間が形成されるものである。なお、所定幅は、雨水に含まれる混合物の粒径によって定められ、少なくとも平均的な粒径の混合物が通ることができる程度の幅に定められる。
請求項６に記載の発明は、請求項４又は５に記載の雨水用フィルター装置において、  前記ドレン口は電磁弁により開閉可能に形成されるものである。
請求項７に記載の発明は、請求項６に記載の雨水用フィルター装置において、前記筐体の内部には、水位が一定高さに到達したことを検知し電気信号を発生させる水位センサーが設けられ、前記電磁弁は、前記水位センサーの信号を受けて前記ドレン口を開放するものである。
【発明の効果】
【０００６】
上記課題を解決するために、本発明は次のような構成を有する。
請求項１に記載の発明は、流入口から混合物を含んだ雨水が流入すると、まず、仕切り板と筐体の内部側面に囲まれた部分に雨水が溜まり、多くの混合物は雨水よりも重いので、底に沈殿する。そして、雨水が所定の高さ以上に溜まると仕切り板の切り欠きもしくは穴から仕切り板を越えて、他方側の仕切り板と筐体の内部側面に囲まれた部分に雨水が溜まっていき、やがて、流出口から混合物が排除された雨水が流出される。このような作用により混合物が雨水から排除されるので、混合物を濾して除去する場合に比較して混合物が詰まることを抑制することができる。
請求項２に記載の発明は、仕切り板を複数並べることにより、最初の仕切り板を混合物が越えても次の仕切り板により排除することができるので、混合物を排除する可能性を高めることができる。
請求項３に記載の発明は、仕切り板を着脱可能とすることで筐体内の清掃などのメンテナンスを容易にすることができる。
【０００７】
請求項４に記載の発明は、底面にドレン口を設けることで筐体の底に溜まった混合物を雨水と一緒にドレン口から流し出すことができるので、混合物が底に溜まった筐体を清掃する頻度を少なくすることができる。
請求項５に記載の発明は、仕切り板と筐体の内部底面との間に所定幅の隙間を設けることで、ドレン口を仕切り板が仕切るすべての底面に設けなくても、混合物の多くはこの隙間を通ることができるので、仕切り板が仕切る一部の底面にのみドレン口を設けても底面全面に溜まったほとんどの混合物をドレン口から流し出すことができる。
請求項６に記載の発明は、ドレン口を電磁弁により開閉可能とすることで、ドレン口の開閉を遠隔操作や自動制御により行うことができ、使用者の労力を低減させることができる。
請求項７に記載の発明は、筐体内の水位が一定高さに達すると、ドレン口の電磁弁が開いて筐体内の雨水が排出されるので、大雨などで大量に雨水が筐体内に流入し装置が処理できる雨水の許容量を超える場合でも、ドレン口から雨水を自動的に排出することで装置が処理できる雨水の許容量を増やすことができる。
【発明を実施するための最良の形態】
【０００８】
以下、本発明の実施形態について、図面を参照しながら説明する。
図１に本発明の実施形態に係る雨水用フィルター装置Ｘの分解斜視図を示し、図２に雨水用フィルーター装置Ｘの縦断面図を示す。雨水用フィルターＸは、直方体の合成樹脂からなる上方が開放した有底の箱体である筐体１０、筐体１０の内部に載置される３枚の合成樹脂からなる仕切り板２１、２２、２３、筐体１０の上方の開口を塞ぐ合成樹脂からなる蓋体３０とから構成される。
筐体１０は、一面に雨水を導く流入パイプＡと接続される流入口１１、流入口１１が設けられた面に向かい合う面に設けられる、雨水を流し出す流出パイプＢに接続される流出口１２、底面に設けられる溜まった雨水を排出させるため排水パイプに接続されるドレン口１３、仕切り板２１、２２、２３が所定間隔で平行に配列されるように挟持固定する仕切り板固定片１４、仕切り板１４と筐体１０の内部底面とに隙間が空くように筐体１０の内部底面に設けられる薄く細長い板体からなる隙間形成板１５、内部側面の所定高さ位置に設けられる水を検知して電気信号を出力する水位センサー１６を有する。ドレン口１３には、電磁弁１３ａが取り付けられており、排水パイプに平行して設けられる電線から電力を受けて開閉動作を行う。この電磁弁１３ａは通常は閉じた状態であり、図示しないスイッチにより開くことができるとともに、水位センサー１６からの信号を受けて一定時間開放するように形成されている。仕切り板固定部１４は縦方向に伸びる２つの凸部により仕切り板を挟持するもので、筐体１０内部の流入口１１、流出口１２が設けられていない各側面に上部と下部のそれぞれに設けられる４つを一組とし、各仕切り板に対応して３組設けられる。隙間形成板１５の厚さはここでは０．５ｍｍに設定されるが、この厚さは適宜変更してもよい。
仕切り板２１、２２、２３は、左右いずれかの辺のやや上方に切り欠き２１ａ、２２ａ、２３ａがそれぞれ設けられている。仕切り板２１と２３の切り欠き２１ａ、２３ａと中央に配列される仕切り板２２ａの切り欠き２２ａは逆に位置するようになっている。蓋体３０は筐体１０の開口面に合致する板体であり、筐体１０の開口部の４つの角部に係合する係合凸部３０ａが設けられており、筐体１０の開口部に着脱可能に固定できるようになっている。
【０００９】
次に、以上のような構成を有する雨水用フィルターＸの動作について説明する。なお、使用状態において、流入パイプＡは雨どいなど雨水が収集される部位に接続され、流出パイプＢは雨水を溜めるタンクに接続され、ドレンパイプＣは排水口へ接続されているものとする。この状態で、雨が降ると雨どいなどに溜まった埃や砂などが混じった雨水が流入パイプＡにより導かれ流入口１１から筐体１０内へ流入する。流入した雨水は流入口１１が設けられた側面と仕切り板２１に挟まれた領域ｒに溜まっていく。なお、仕切り板２１と筐体１０の内部底面とには隙間があるので、ここから雨水は隣の各領域へも入っていくが、雨水の流入量が一定量を超える場合は領域ｐへ流入する雨水の量の方が、隣の領域へ流れる水の量よりも多くなり、領域ｐへ雨水が溜まっていくことになる。雨水が溜まる際に、砂や埃は水よりも重いので、領域ｐ内の底に堆積していく。やがて、溜まった雨水が仕切り板２１の切り欠き２１ａの下辺の高さを越えると、雨水は仕切り板２１と仕切り板２２とに挟まれた領域ｑへ流入し、ここに溜まっていく。この際に、やはり、領域ｐを超えて流入した砂などは領域ｑの底に溜まっていくことになる。以下、同様に雨水は、仕切り板２２、２３に挟まれた領域ｒ、仕切り板２３と流出口１２が設けられた筐体１０の側面に挟まれた領域ｓへと混合物を底に堆積させながら移っていく。最後に領域ｓにおいて流出口１２の高さに雨水が溜まると多くの混合物が取り除かれた雨水が流出口１２から流出する。その後は、各領域ｐ、ｑ、ｒ、ｓには切り欠きの下辺の高さまで雨水が溜まっているが、この状態で流入口１０から雨水が流入すると、やはり、重い混合物は各領域の底へ溜まっていくことになる。
この雨水用フィルターＸ内を清掃する場合、底に溜まった混合物が少ない場合は電磁弁１３ａを開放してドレン口１３から溜まった雨水を排出することで、混合物を雨水と一緒に排出することができる。混合物の量が多かったり、粒径が大きい場合には、蓋３０を開けて各仕切り板２１、２２、２３を取り外して電磁弁１３ａを開放して雨水と混合物を排出させればよい。
また、大雨などで、大量の水が筐体１０内に入り筐体内の水位が水位センサー１６の位置を越えた場合には、水位センサー１６が電気信号を発し、これを受けて電磁弁１３ａが開いてドレン口１３から余分な水を排出することで、本装置の水量の許容量を増加させている。
なお、上記実施の形態では、仕切り板２１、２２、２３と筐体１０の内部底面との隙間を隙間形成板を設けることにより作っているが、各仕切り板の下方の縁部に切り欠きを設けることで隙間を作ったり、筐体１０の底面にドレン口１３に向うような傾斜を設けることで隙間を作ったりすることもできる。
また、上記実施の形態では、仕切り板２１、２２、２３を別体としているが、一体に形成したり、ボルトなどで一体に連結したりすることもできる。このように一体化すると、仕切り板の筐体１０への固定を簡易にすることができる。
さらに、各仕切り板の切り欠きの形状は任意であり、切り欠きでなく穴とすることもできる。また、筐体の形状も直方体に限らず、円筒形などでもよい。
【図面の簡単な説明】
【００１０】
【図１】本発明の実施形態に係る雨水用フィルター装置の分解斜視図である。
【図２】本発明の実施形態に係る雨水用フィルター装置の縦断面図である。
【符号の説明】
【００１１】
Ｘ      雨水用フィルター装置
１０    筐体
１１    流入口
１２    流出口
１３    ドレン口
１３ａ  電磁弁
１４    仕切り板係合片
１５    隙間形成板
１６    水位センサー
２１、２２、２３  仕切り板
２１ａ、２２ａ、２３ａ  切り欠き
３０    蓋体
【図１】
2006200133.tif 000003
【図２】
2006200133.tif 000004